(57)【要約】      （修正有）【課題】小さい曲率半径、すなわちきつい湾曲を有するこの種の表面を効果的にクリーニングするためのクリーニングモジュールを提供する。【解決手段】自動車両に搭載することが意図された光学素子保護装置３をクリーニングするためのモジュール５であって、保護装置３が、光学素子の周囲に配置されるように構成された回転面を有するモジュール５である。クリーニングモジュール５は、保護装置３を囲むように構成された少なくとも１つのリング５１を含むとともに、少なくとも１つの払拭構造体を含む。リング５１の少なくとも１つの払拭構造体が保護装置３の回転面を払拭するように構成されるように、リング５１は、保護装置３に対して、リング５１の回転軸線Ａ２に沿った相対並進移動において可動であるように構成される。【選択図】図１
2019218049.tif 000002
【特許請求の範囲】
【請求項１】
特に自動車両に搭載することが意図された光学素子又は光学素子保護装置（３）であって、回転面を有する前記光学素子又は前記保護装置（３）をクリーニングするためのモジュール（５）において、
‐  前記クリーニングモジュール（５）は、少なくとも１つのリング（５１）と少なくとも１つのクリーニング構造体（５３）とを含み、好適には、前記リング（５１）は、前記光学素子又は前記保護装置（３）の前記回転面を囲むように構成された少なくとも１つの円弧形状部分を有する、
ことを特徴とするモジュール（５）。
【請求項２】
前記クリーニング構造体は、洗浄流体を前記回転面に噴射するように構成された少なくとも１つの流体噴射ノズル（７）を含む、
ことを特徴とする請求項１に記載のクリーニングモジュール（５）。
【請求項３】
前記リング（５１）は、前記少なくとも１つの流体噴射ノズル（７）を含む、
ことを特徴とする請求項２に記載のクリーニングモジュール（５）。
【請求項４】
前記クリーニング構造体は払拭構造体（５３）を含み、好適には、前記払拭構造体（５３）はＯリングを含む、
ことを特徴とする請求項１乃至３のいずれか一項に記載のクリーニングモジュール（５）。
【請求項５】
前記リング（５１）は、前記クリーニング構造体が前記回転面に沿った移動を行うように、前記光学素子又は前記保護装置（３）に対して、前記リング（５１）の回転軸線（Ａ２）に沿った相対並進移動を伴って可動であるように構成される、
ことを特徴とする請求項１乃至４のいずれか一項に記載のクリーニングモジュール（５）。
【請求項６】
少なくとも１つの光学素子を含む、特に自動車両用の運転支援システム（１）において、前記運転支援システム（１）は、
・  第１回転軸線（Ａ１）を中心とする少なくとも１つの回転面であって、保護装置（３）の一部であるとともに、前記少なくとも１つの光学素子又は前記光学素子の一部である前記回転面の周囲に配置されるように構成された回転面と、
・  請求項１乃至５のいずれか一項に記載の対応するクリーニングモジュール（５）であって、リング（５１）を含むクリーニングモジュール（５）と、
・  前記回転面と前記クリーニングモジュール（５）の前記リング（５１）との相対並進移動を、前記リング（５１）の第２回転軸線（Ａ２）に沿って生じさせるように構成された少なくとも１つのアクチュエータと、
を更に含むことを特徴とする運転支援システム（１）。
【請求項７】
前記回転面と前記クリーニングモジュール（５）の前記リング（５１）は、相補的な全体形状を有する、
ことを特徴とする請求項６に記載の運転支援システム（１）。
【請求項８】
前記保護装置（３）又は前記光学素子の前記第１回転軸線（Ａ１）と前記クリーニングモジュール（５）の前記リング（５１）の前記第２回転軸線（Ａ２）とは、一致する、
ことを特徴とする請求項６又は７に記載の運転支援システム（１）。
【請求項９】
前記保護装置（３）又は前記光学素子は自動車両に固定的に装着されるように構成され、前記リング（５１）は前記保護装置（３）又は前記光学素子に対して可動的に装着されるように構成される、
ことを特徴とする請求項６乃至８のいずれか一項に記載の運転支援システム（１）。
【請求項１０】
前記リング（５１）は自動車両に固定的に装着されるように構成され、前記保護装置（３）は前記リング（５１）に対して可動的に装着されるように構成される、
ことを特徴とする請求項６乃至８のいずれか一項に記載の運転支援システム（１）。
【請求項１１】
‐  前記運転支援システム（１）は、少なくとも２つの別個の保護装置（３）と、前記保護装置（３）の一方にそれぞれ対応する少なくとも２つのクリーニングモジュール（２）とを含み、前記保護装置（３）はキャップ（１１）により相互に接続され、
‐  前記少なくとも１つのアクチュエータは、前記保護装置（３）が並進移動を同期した態様で行うように、前記キャップ（１）を移動可能であるように配置される、
ことを特徴とする請求項１０に記載の運転支援システム（１）。
【請求項１２】
前記運転支援システム（１）は、前記光学素子又は前記光学素子保護装置（３）をクリーニングするプロセス（１００）を開始するように構成された電子制御ユニットを更に含み、
前記クリーニングプロセス（１００）は、
‐  前記リング（５１）と前記回転面とが前記リング（５１）の前記第２回転軸線（Ａ２）に沿って相対移動する間の、第１方向における少なくとも１つの第１クリーニング工程（Ｅ１）と、
‐  前記リング（５１）と前記回転面とが前記リング（５１）の前記第２回転軸線（Ａ２）に沿って相対移動する間の、前記第１方向と反対の第２方向における第２クリーニング工程（Ｅ２）と、
を含む、
ことを特徴とする請求項６乃至１１のいずれか一項に記載の運転支援システム（１）。
【請求項１３】
前記電子制御ユニットは、汚れが前記光学素子により検出されたときに、洗浄液を前記光学素子又は前記保護装置（３）に噴射する工程（Ｅ１’）を実行するように、前記少なくとも１つの流体噴射ノズル（７）を制御するように構成される、
ことを特徴とする請求項２又は３と組み合わせた請求項１２に記載の運転支援システム（１）。
【発明の詳細な説明】
【技術分野】
【０００１】
本発明は運転支援の分野に関し、特に自動車両に設置された運転支援システムに関する。
【０００２】
運転支援システムは、少なくとも１つの光学素子を含み得る。本発明は、より具体的には、運転支援システムのこの種の光学素子を保護するための装置をクリーニング（清掃、洗浄）するためのモジュールに関する。また、本発明は、光学素子を直接的にクリーニングすることが意図されたクリーニングモジュールに関する。実際に、光学素子には付属の保護装置を有さないものがある。
【背景技術】
【０００３】
運転支援システムの光学素子は、道路の景色又は自動車両の周囲環境を判定するように、光学信号を発信及び／又は捕捉するように構成されている。光学信号を捕捉する素子の場合、このような光学素子は、例えば、少なくとも１つのレンズを含むビデオカメラであり得る。また、光学信号を発信及び捕捉する素子の場合、このような光学素子は、ライダー（Light Detection And Ranging：光検出及び測距）技術を利用し得る。
【０００４】
現在、多数の自動車両に、駐車を簡単にするように、又は自動車両にある程度の自律性を提供するように、多くの光学素子が設けられている。後者の場合、ライン横断検出器、自動緊急ブレーキシステム、適応型速度調節装置、死角検出装置、又は自律車両等の車両用ライダー技術等を有する機器が非限定的に挙げられる。
【０００５】
このような光学素子は、一般に、自動車両の外側、例えば、ルーフ、フロント又はリアウイング、サイドミラー（フェンダーミラー）又は自動車両のフロントガラス側部のピラーのレベルに設置される。したがって、これらの光学素子は、有機物又は無機物の汚れ、例えば埃又は昆虫にひどくさらされ、更には、例えば光学素子の視野及び／又は発光領域に水跡を残し得る悪天候にも、ひどくさらされる。これらは、光学素子の正しい動作、ひいては運転支援システムの正しい動作を損ない得る。
【０００６】
駐車を支援するためのビデオカメラ等の光学素子をクリーニングするための多数のモジュールが、従来技術において公知である。例えば、文書ＵＳ９７８３１６７から、洗浄液を運転支援システムの光学素子にその視野のレベルで噴射するためのクリーニングモジュールが知られている。しかしながら、クリーニング作業の後、クリーニングされた面上に残る水滴が運転支援システムを妨害する可能性がある。
【０００７】
例えば自動車両の周囲全体の道路の景色を捕捉可能であるように、より多くの運転支援システムが回転面を特徴としており、空気力学や全体サイズを理由として一般に比較的小さい曲率半径、すなわちきつい湾曲を有する。特に、ライダー技術を用いた運転支援システムが挙げられる。
【０００８】
しかしながら、従来技術において公知のクリーニングモジュールは、小さい曲率半径を有するこのような回転面をクリーニングするには適していない。
【発明の概要】
【０００９】
本発明は、運転支援システムで使用される光学素子の表面、又は光学素子保護装置の表面であって、小さい曲率半径、すなわちきつい湾曲を有するこの種の表面を効果的にクリーニングするためのクリーニングモジュールを提案することによって、上述の従来技術の欠点を少なくとも部分的に軽減することを提案する。
【００１０】
前述の目的とは異なる本発明の他の目的は、自動車両が移動中または静止中にクリーニングを効果的且つ簡単に実行できる運転支援システムを提案することである。
【００１１】
少なくとも部分的に上述の目的の少なくとも一方を達成するように、本発明は、特に自動車両に搭載することが意図された光学素子又は光学素子保護装置をクリーニングするためのモジュールにある。光学素子又は保護装置は、回転面を有する。クリーニングすべき表面が保護装置の一部である場合、保護装置の回転面は光学素子の周囲に配置されるように構成される。
【００１２】
クリーニングモジュールは、光学素子又は保護装置の回転面を囲むように構成された少なくとも１つのリングを含むとともに、少なくとも１つのクリーニング構造体を含む。
【００１３】
好適には、リングは、クリーニング構造体が回転面に沿った移動を行うように、光学素子又は保護装置に対して、リングの回転軸線に沿った相対並進移動を伴って可動であるように構成される。
【００１４】
この種のクリーニングモジュールは、小さい曲率半径を有する光学素子又は光学素子を囲む保護装置の効果的なクリーニングを可能とする。実際に、回転面を囲むことが意図されたリングを使用することにより、曲率半径に関連する制約を回避することができる。また、クリーニング構造体の存在により、光学素子の良好な動作を保証するように、回転面に堆積し得る埃や水滴をクリーニングすることが可能となる。
【００１５】
本発明によるクリーニングモジュールは、以下の１つ又は複数の特徴を、別個に又は組み合わせて更に有し得る。
【００１６】
リングは、少なくとも１つの円弧形状部分を有する。
【００１７】
特定の一実施形態において、リングは環形状を有する。
【００１８】
リングは、クリーニングすべき回転面に対面して配置されるように構成された内面を有する。
【００１９】
一態様において、クリーニング構造体は、洗浄流体を回転面に噴射するように構成された少なくとも１つの流体噴射ノズルを含む。
【００２０】
洗浄流体は、圧縮空気又は洗浄液の中から選択され得る。
【００２１】
同様に、洗浄流体は、圧縮空気及び洗浄液であり得る。圧縮空気と洗浄液は同時に噴射され得る。特に、同時噴射は別個のノズル、すなわち空気を吹き出す一方のノズルと、洗浄液を噴射する他方のノズルとにより実施され得る。代替的に、圧縮空気の吹付を第１工程において生じさせ、洗浄液を噴射する第２工程がこれに続いてもよい。又は、洗浄液の噴射を第１工程において生じさせ、圧縮空気を吹き付ける第２工程がこれに続いてもよい。
【００２２】
少なくとも１つの流体噴射ノズルは、リングから分離していてもよい。
【００２３】
代替的に、リングは、前記少なくとも１つの流体噴射ノズルを含む。
【００２４】
特定の一実施形態において、クリーニング構造体は払拭構造体を含む。この種の構造体は、回転面の機械的なクリーニングを可能にするという利点を有する。
【００２５】
特定の一実施形態において、払拭構造体はＯリングを含む。
【００２６】
特定の一実施形態において、リングは、光学素子の発光波長及び／又は受光波長を実質的に透過させ得る。
【００２７】
変形例において、少なくとも１つの流体噴射ノズルは、リングに装着され得る。リングは、また、払拭構造体を含む。
【００２８】
本変形例において、少なくとも１つの流体噴射ノズルと払拭構造体は、リングの内面において互いに隣接して配置され得る。
【００２９】
本変形例において、また、少なくとも１つの流体噴射ノズルと払拭構造体は、リングの内面において、互いに接触して配置され得るか、又は互いから離間して配置され得る。
【００３０】
一態様において、本発明は、自動車両に搭載することが意図された光学素子又は光学素子保護装置をクリーニングするためのモジュールであって、光学素子が少なくとも１つのセンサ、及び／又は少なくとも１つの光学信号エミッタ及びセンサを含むモジュールに関する。光学素子又は保護装置は、回転面を有する。回転面が保護装置の一部である場合、この表面は、前記少なくとも１つのセンサ及び／又は少なくとも１つの光学信号エミッタ及びセンサの周囲に配置されるように構成される。クリーニングモジュールは、回転軸線を有する環状の全体形状を持つ少なくとも１つのリングであって、回転面を囲むように構成されたリングと、好適には払拭構造体である少なくとも１つのクリーニング構造体とを含む。
【００３１】
また、本発明は、特に自動車両用の運転支援システムにある。運転支援システムは、少なくとも１つの光学素子を含み、また、
・  第１回転軸線を中心とする少なくとも１つの回転面であって、保護装置の一部であるとともに、前記少なくとも１つの光学素子又は前記光学素子の一部である前記回転面の周囲に配置されるように構成された回転面と、
・  上述の対応するクリーニングモジュールであって、リングを含むクリーニングモジュールと、
・  前記回転面と前記クリーニングモジュールの前記リングとの相対並進移動を、前記リングの第２回転軸線に沿って生じさせるように構成された少なくとも１つのアクチュエータと、
を含む。
【００３２】
運転支援システムは、以下の１つ又は複数の特徴を、別個に又は組み合わせて更に有し得る。
【００３３】
特定の一実施形態において、回転面とクリーニングモジュールのリングは、相補的な全体形状を有し得る。
【００３４】
一態様において、回転面は円筒形状を有し得るとともに、クリーニングモジュールのリングは環形状を有し得る。
【００３５】
本態様において、保護装置又は光学素子の第１回転軸線とクリーニングモジュールのリングの第２回転軸線とは、一致し得る。
【００３６】
光学素子は、光学センサ、又は光学エミッタに結合された光学センサの中から選択され得る。
【００３７】
特定の一実施形態において、運転支援システムは、自動車両の別の物体からの離間距離を測定するようにレーザービームを発光すること、及び受信したエコーを検出することに対応するライダー技術を含む。
【００３８】
第１態様において、保護装置又は光学素子は自動車両に固定的に装着されるように構成され、リングは保護装置又は光学素子に対して可動的に装着されるように構成される。
【００３９】
本第１態様において、少なくとも１つのアクチュエータは、リングが、
‐  リングが車体要素と同一平面にある、又は車体要素の内部に収容される格納位置と、
‐  リングが車体要素に対して突出する配備位置と、
の間で移動するように構成される。
【００４０】
第２態様において、リングは自動車両に固定的に装着されるように構成され、保護装置はリングに対して可動的に装着されるように構成される。
【００４１】
本第２態様において、少なくとも１つのアクチュエータは、保護装置が、
‐  保護装置が少なくとも部分的に車体要素の外部に配置される作動位置と、
‐  保護装置が少なくとも部分的に車体要素の内部に収容される、及び／又はリングに対面する非作動位置と、
の間で移動するように構成される。
【００４２】
他の態様において、運転支援システムは、少なくとも２つの別個の保護装置と、各保護装置に対応する少なくとも２つのクリーニングモジュールと、を有する。
【００４３】
保護装置は、キャップにより相互に接続され得る。
【００４４】
少なくとも１つのアクチュエータは、例えば、保護装置の並進移動を同期した態様で制御するように、キャップを移動可能であるように配置される。
【００４５】
本変形例において、少なくとも１つのアクチュエータは、キャップの実質的に中央に配置され得る。
【００４６】
本変形例において、少なくとも１つのアクチュエータは、少なくとも２つの保護装置が、同期した態様でそれらの作動位置とそれらの非作動位置との間で移動するように構成され得る。
【００４７】
少なくとも１つのアクチュエータは、空気式、電気式、更に又は磁気式アクチュエータの中から選択され得る。
【００４８】
一態様において、クリーニング構造体は、保護装置の回転面の払拭時に、少なくとも１つの光学素子の視野に配置されるように構成される。
【００４９】
運転支援システムは、光学素子又は光学素子保護装置をクリーニングするプロセスを開始するように構成された電子制御ユニットを更に含み得る。前記クリーニングプロセスは、
‐  前記リングと前記回転面とが前記リングの前記第２回転軸線に沿って相対移動する間の、第１方向における少なくとも１つの第１クリーニング工程と、
‐  前記リングと前記回転面とが前記リングの前記第２回転軸線に沿って相対移動する間の、前記第１方向と反対の第２方向における第２クリーニング工程と、
を含む。
【００５０】
一態様において、車両が停止しているときに、保護装置をクリーニングするプロセスは、第１クリーニング工程中の保護装置のその作動位置からその非作動位置への相対移動であってこれにより保護装置が少なくとも部分的に車体要素の内部に入る相対移動、及び、次いで第２クリーニング工程中のその非作動位置からその作動位置への相対移動であってこれにより保護装置がその作動位置に復帰する相対移動により開始され得る。
【００５１】
別の態様において、車両が移動しているときに、保護装置又は光学素子をクリーニングするプロセスは、保護装置又は光学素子を最初にクリーニングするための第１クリーニング工程中のリングのその格納位置からその配備位置への相対移動、次いで保護装置又は光学素子を２回目にクリーニングするための第２クリーニング工程中のその配備位置からその格納位置への相対移動により開始され得る。
【００５２】
電子制御ユニットは、光学素子が汚れを検出したときに、洗浄流体を光学素子又は保護装置に噴射する工程を実行するように、少なくとも１つの流体噴射ノズルを制御するように構成され得る。
【００５３】
一態様において、洗浄流体を噴射する工程は、第１払拭工程と同時に実行され得る。
【００５４】
本発明の他の特徴及び利点は、非制限的な例としてなされる以下の説明及び添付図面からより明瞭になるであろう。
【図面の簡単な説明】
【００５５】
【図１】運転支援システムの概略部分斜視図。
【図２】クリーニングプロセス中の、特定の一実施形態による運転支援システムの概略斜視図。
【図３】特定の一実施形態による運転支援システムのクリーニングモジュールの概略斜視図。
【図４】図１及び２の実施形態の変形例による運転支援システムの概略斜視図。
【図５】図１、２及び４の運転支援システムの光学素子の保護装置をクリーニングする方法の種々の工程を示すチャート。
【発明を実施するための形態】
【００５６】
図面中の同一要素には同じ参照符号を付す。
【００５７】
以下の実施形態は例示されたものである。１つ以上の実施形態について言及されるが、これは必ずしも各言及が同じ実施形態に関すること、又は特徴が１つの実施形態のみに適用されることを意味しない。異なる実施形態の単一の特徴は、他の実施形態を提供するように等しく組み合わせる及び／又は入れ替えることが可能である。
【００５８】
以下の説明において、保護装置の第１及び第２端部、第１及び第２回転軸線、第１及び第２払拭／クリーニング工程について言及がなされる。このような順番付けは、単に似ているが同一ではない要素を区別して示すためのものである。また、このような順番付けは、運転支援システムを構成する種々の要素の配置を評価するための、又はこの運転支援システムをクリーニングするプロセスの展開を評価するための、時間的な順序を意味するものでもない。
【００５９】
運転支援システム
図１及び２を参照すると、特に自動車両用の運転支援システム１が部分的に示されている。運転支援システム１は、
‐  少なくとも１つの光学素子と、
‐  少なくとも１つの保護装置３と、
‐  各保護装置３について対応するクリーニングモジュール５と、
‐  少なくとも１つのアクチュエータ（図示せず）と、
を含む。
【００６０】
光学素子は、例えば道路の景色を捕捉して送信するビデオカメラ等の光学センサ、又は、例えば自動車両の別の物体からの離間距離を測定するようにレーザービームを発光すること、及び受信したエコーを検出することに対応するライダー技術のような光学エミッタに結合された光学センサ、更に又はこれらの素子を組み合わせたものの中から選択され得る。光学素子は、対応する保護装置３に収納されることが意図されている。
【００６１】
また、運転支援システム１は、共通の保護装置３に収納され得る複数の光学素子を含み得る。これらの光学素子は、自動車両の周囲全体の種々の道路景色を捕捉するように、それぞれの視野が異なる方向に配向されるように配置され得る。
【００６２】
したがって、光学素子は、光学素子の部品の個数及び種類に応じて異なる視野角を有し得る。好適には、各光学素子の視野角は、６０°乃至３６０°（６０°および３６０°を含む）である。この種の光学素子を有した状態で、運転支援システム１は、例えば自律車両に搭載され得る。
【００６３】
保護装置３は、第１回転軸線Ａ１を中心とする回転面を含む。特に砂利や昆虫等の無機物又は有機物起源の個体要素が浴びせられることにより光学素子が被り得る劣化から光学素子を保護するように、この回転面は光学素子の周囲に配置されるように構成される。
【００６４】
保護装置３は、例えば円筒状の全体形状を有する。この特定の実施形態において、保護装置３は、例えば５０ｍｍ乃至３５０ｍｍ（５０ｍｍ及び３５０ｍｍを含む）、特に２５０ｍｍ乃至３００ｍｍ（２５０ｍｍ及び３００ｍｍを含む）であり得る高さＨを有する。また、保護装置３は、例えば６０ｍｍ乃至２１０ｍｍ（６０ｍｍ及び２１０ｍｍを含む）の半径Ｄを有する。しかしながら、大型及び／又は多数の光学素子であって単一の保護装置３によって保護される光学素子を保護するように、保護装置３は最大で８００ｍｍの直径を有してもよい。図示しない変形例によれば、保護装置３は、他の幾何学的形状を有し得る。
【００６５】
図３にクリーニングモジュール５の一実施形態をより詳細に示す。クリーニングモジュール５は、第２回転軸線Ａ２を有する少なくとも１つのリング５１を含む。図１及び２に示すように、リング５１は、保護装置３を囲むように構成されている。したがって、クリーニングモジュール５は、保護装置３の回転面のいかなる形状にも適合され得る。
【００６６】
この特定の実施形態において、保護装置３とリング５１は、相補的な全体形状を有する。リング５１は、保護装置３に対面配置することが意図された内面５１ａを有する。また、保護装置３の第１回転軸線Ａ１とリング５１の第２回転軸線Ａ２とは、例えば一致する。
【００６７】
クリーニングモジュール５は、クリーニング構造体を含む。好適には、このクリーニング構造体は、払拭構造体５３である。払拭構造体５３は、リング５１の内面５１ａに設けられている。
【００６８】
払拭構造体５３は、保護装置３をクリーニングするプロセス１００（図５）の少なくとも一部において保護装置３の回転面を払拭するように、保護装置３に接触配置されるように構成される。この種のクリーニングプロセス１００を以下に詳述する。払拭構造体５３によって保護装置３の回転面を払拭することにより、回転面上に存在するあらゆる汚れが除去され得る。払拭は、リング５１と保護装置３との相対移動中に、より具体的には、以下に説明するように、リング５１の第２回転軸線Ａ２に沿った相対並進移動中に実施され得る。したがって、保護装置３は、その回転面の形状がどのようなものであっても効果的にクリーニングされ得るため、運転支援システム１は正しく動作し続ける。
【００６９】
図１乃至図３の特定の実施形態において、リング５１は、保護装置３の円筒形状に適合し得るように、円弧形状の、より具体的には環状の少なくとも一部分を有する。より具体的には、リング５１は直径Ｄ’を有する。リング５１と保護装置３との間の相対移動における応力を制限しつつ保護装置３の効果的なクリーニングを可能とするように、リング５１の直径Ｄ’は、保護装置３の直径Ｄより顕著に大きい。より具体的には、リング５１の直径Ｄ’は、払拭構造体５３と保護装置３の回転面との間の接触を十分に確保する。したがって、保護装置３の曲率半径がどのようなものであっても、より具体的には曲率半径が小さい場合でも、保護装置３の効果的なクリーニングが可能となる。
【００７０】
払拭構造体５３は、この払拭構造体５３が後述のクリーニングプロセス１００中に払拭することを要求される保護装置３の回転面の形状に相補的な全体形状を有する。図３の特定の実施形態において、払拭構造体５３は、Ｏリングを含む。図示しない他の変形例において、払拭構造体５３は、他の材料から構成され得る、又は異なる形状を有し得る。
【００７１】
払拭構造体５３は、保護装置３の回転面の払拭中に、少なくとも１つの光学素子の視界に配置されることが意図されている。したがって、運転支援システム１が正しく動作するように、払拭構造体５３は、保護装置３の外面を、好適には光学素子の視野全体に亘ってクリーニングする。したがって、払拭構造体５３は、リング５１の内面５１ａの一部に亘って延び得る。図３の特定の実施形態において、払拭構造体５３は、リング５１の内面５１ａの周囲全体に亘って延びている。これは、光学素子が３６０°の視野を有している場合でも有していない場合でも、保護装置３の全周をクリーニング可能とするためである。
【００７２】
図１の特定の実施形態において、クリーニングモジュール５、より具体的にはリング５１は、保護装置３が突出する自動車両の車体要素９と同一平面にあるように配置される。
【００７３】
クリーニングモジュール５は、洗浄流体を保護装置３の回転面に吹き付けるように構成された少なくとも１つの流体噴射ノズル７を含むクリーニング構造体を含み得る。
【００７４】
図３に示すように、好適には、クリーニング構造体は、払拭構造体５３と少なくとも１つの流体噴射ノズル７とを含む。
【００７５】
実際に、回転面上のしつこい汚れ又はこびりついた汚れの場合、払拭構造体５３によって保護装置の回転面を払拭することに関連する機械的作用だけでは十分でない場合がある。したがって、保護装置３の外面からこのようなしつこい又はこびりついた汚れの除去に寄与するための圧縮空気又は洗浄液等の洗浄流体の使用に頼ることが可能である。より具体的には、圧縮空気を利用することにより、保護装置３の回転面に吹き付けられる空気流の強さと、払拭構造体５３による回転面の払拭において回転面から汚れを除去しやすくするように汚れを湿らすための洗浄液の使用とによって、このような汚れが除去され得る。
【００７６】
圧縮空気の吹付と洗浄液の噴射は同時であってもよい。又は、圧縮空気の吹付を第１工程において生じさせ、洗浄液を噴射する第２工程がこれに続いてもよい。又は、洗浄液の噴射を第１工程において生じさせ、圧縮空気を吹き付ける第２工程がこれに続いてもよい。
【００７７】
図３の特定の実施形態において、少なくとも１つの流体噴射ノズル７がリング５１に組み込まれる。少なくとも１つの流体噴射ノズル７は、矢印Ｆ２で示すように、洗浄流体をリング５１の第２回転軸線Ａ２の方向に噴射するような態様で配置される。
【００７８】
この特定の実施形態において、リング５１は、少なくとも１つの流体噴射ノズル７を含む。しかしながら、図示しない変形例において、少なくとも１つの流体噴射ノズル７は、リング５１に装着されてもよい、すなわち、リング５１の内部に設置される追加要素であってもよい。
【００７９】
またこの特定の実施形態において、少なくとも１つの流体噴射ノズル７と払拭構造体５３は、直接接触した状態で、又はしない状態で、リング５１の内面５１ａにおいて、互いに隣接して配置される、すなわち並んで配置される。
【００８０】
図示しない代替例において、少なくとも１つの流体噴射ノズル７は、リング５１から分離していてもよい。より具体的には、少なくとも１つの流体噴射ノズル７は、自動車両の外部に配置され得るとともに、クリーニングプロセス１００において保護装置３の回転面に洗浄流体を噴射し得るような態様で配向され得る。
【００８１】
また、少なくとも１つのアクチュエータは、クリーニングモジュール５のリング５１と保護装置３との間の相対並進移動を生じさせるように構成される。この相対並進移動は、リング５１の第２回転軸線Ａ２に対して平行な方向である。この相対並進移動により、保護装置３をクリーニングするプロセス１００（図５を参照して説明する）の実行が可能となる。より具体的には、リング５１と保護装置３との相対並進移動は、図１及び２に示す矢印Ｆ１の方向である。したがって、この相対移動において、払拭構造体５３は、保護装置３の第１回転軸線Ａ１に対して平行に移動することによっても、保護装置３の回転面を払拭する。このような並進移動は、保護装置３の回転面の曲率半径に適応したものであるため、保護装置３の効果的なクリーニングが保証される。
【００８２】
アクチュエータは、空気式アクチュエータ、電気式アクチュエータ、更に又は磁気式アクチュエータの中から選択され得る。このようなアクチュエータは、比較的安価であり比較的全体サイズが小さく、且つ自動車両に容易に組み込むことができる。
【００８３】
第１実施形態
第１実施形態において、保護装置３は矢印Ｆ１の方向において並進移動可能である一方、クリーニングモジュール５のリング５１は固定されている。より具体的には、図１の実施形態において、例えば、リング５１は車体要素９と同一平面にあるように配置される。
【００８４】
この特定の第１実施形態において、クリーニングプロセス１００が実行されるとき、保護装置３は、特にアクチュエータによって、作動位置（図１）と非作動位置（図示せず）との間で移動可能である。
【００８５】
作動位置において、図１に示すように、保護装置３は、少なくとも部分的に車体要素９の外部に配置される。保護装置３が作動位置にあるとき、保護装置３の内部に配置された光学素子は、道路の景色又は自動車両の周囲環境の景色を捕捉可能である。より具体的には、保護装置３は、自動車両の車体要素９から突出し得る。したがって、保護装置３は、第１端部３１ａと、第１端部３１ａの反対側の第２端部３１ｂとを有する。第２端部３１ｂは、車体要素９に可能な限り近く配置される。第１端部３１ａは、車体要素９に対して突出し、第２端部３１ｂから離れて延びる。
【００８６】
保護装置３が非作動位置にあるとき、保護装置３は、少なくとも部分的に車体要素９の内部に収容される、及び／又は少なくとも部分的にリング５１に対面する。保護装置３が非作動位置にあるとき、保護装置３の内部に収容された光学素子による自動車両の周囲の道路の景色の捕捉は、もはや不可能である。
【００８７】
したがって、この第１実施形態は、自動車両が例えば信号待ちで停止中、又は駐車中にクリーニングプロセス１００を実行する場合に特に適している。
【００８８】
第２実施形態
図２に示す第２実施形態において、保護装置３は固定的に装着されることが意図され、クリーニングモジュール５の少なくとも１つの要素は矢印Ｆ１の方向において並進移動可能に装着される。例えば、リング５１は、矢印Ｆ１の方向において並進移動可能に装着される。
【００８９】
保護装置３は、少なくとも部分的に自動車両の車体要素９の外部に配置されるように固定され得る。これにより、保護装置の内部に配置された光学素子は、道路の景色又は自動車両の周囲環境の景色を捕捉可能である。より具体的には、保護装置３は、自動車両の車体要素９から突出し得る。したがって、保護装置３は、第１端部３１ａと、第１端部３１ａの反対側の第２端部３１ｂとを有する。第２端部３１ｂは、車体要素９に可能な限り近く配置される。第１端部３１ａは、車体要素９に対して突出して配置され、第２端部３１ｂから離れて延びる。
【００９０】
本第２実施形態において、クリーニングプロセス１００が実行されるとき、リング５１は、特にアクチュエータによって、格納位置と配備位置との間で移動可能である。リング５１が格納位置にあるとき、リング５１は例えば車体要素９と同一平面にあるか、又は車体要素９の内部に収納され得る。リング５１がその配備位置にあるとき、リング５１は車体要素９から突出する。より具体的には、その配備位置の移動端部は、例えば当接部を形成し得る保護装置３の第１端部３１ａにより画定される。
【００９１】
したがって、リング５１が格納位置と配備位置との間で移動するとき、リング５１は保護装置３の外面全体を払拭する。
【００９２】
本第２実施形態において、リング５１及び払拭構造体５３は、ライダー技術の光学素子に対応する光学素子の発光波長及び／又は受光波長を実質的に透過させる。払拭構造体５３が保護装置３の回転面を払拭する際に、光学素子が機能を継続できれば非常に有利である。したがって、自動車両の移動中又は停止中に運転支援システム１の正確な動作を妨げることなく、クリーニングプロセス１００を実行することができる。実際に、クリーニングプロセス１００においてリング５１が保護装置３の高さＨを超えて移動しても、運転支援システム１を構成する光学素子からの光学信号の受光又は発光は、妨げられない。
【００９３】
第１又は第２実施形態の変形例
図４に示す変形例において、運転支援システムは、図１及び２を参照して説明した保護装置３を少なくとも２つ更に含み得る。保護装置３は互いから独立し、互いから距離をおいて配置され、それぞれ１つの光学素子、又は一組の光学素子を保護することを目的としている。これらの保護装置３は、キャップ１１により相互に接続され得る。本変形例において、運転支援システム１は、また、各保護装置３に対応付けられたクリーニングモジュール５を含む。
【００９４】
上述のように、各クリーニングモジュール５は、払拭構造体５３及び／又は少なくとも１つの流体噴射ノズル７を有するクリーニング構造体を含み得る。好適には、これらのクリーニングモジュール５は、図３に示すとともにこれを参照して説明したクリーニングモジュール５と同じ構造を有する。
【００９５】
第１実施形態の変形例において、リング５１は固定され、保護装置３は並進移動可能であり、アクチュエータは、保護装置３の移動を同期した態様で行う、更に又は同時に行うように、キャップ１１を移動する態様で配置され得る。保護装置３は、作動位置と非作動位置との間で、各リング５１の第２回転軸線Ａ２に対して平行な軸線に沿って、すなわち矢印Ｆ１の方向において、並進移動し得る。上記と同じく、保護装置３の作動位置は、保護装置３が少なくとも部分的に車体要素９の外部にある配置に対応する。非作動位置は、保護装置３が少なくとも部分的に車体要素９の内部にある、及び／又は少なくとも部分的にリング５１に対面する配置に対応する。
【００９６】
特に、保護装置３がそれらの作動位置とそれらの非作動位置との間で同時に移動可能であるように、アクチュエータはキャップ１１の実質的に中央に配置され得る。
【００９７】
保護装置３をクリーニングするためのプロセス１００は、自動車両の停止中に実行され得る。
【００９８】
第２実施形態の変形例において、保護装置３及びキャップ１１は固定され得るとともに、リング５１が可動とされ、アクチュエータは、後述のクリーニングプロセス１００を実行するように、クリーニングモジュール５のリング５１を保護装置３に対してリング５１の第２回転軸線Ａ２に沿って移動させるように構成され得る。
【００９９】
運転支援システム１（図１、２及び４に示す）は、電子制御ユニット（図示せず）を更に含み得る。電子制御ユニットは、保護装置３を又は各保護装置３をクリーニングするためのプロセス１００を開始するように構成される。電子制御ユニットは、少なくとも１つの保護装置３上の汚れを検出可能であるように構成され得る少なくとも１つの光学素子に接続され得る。
【０１００】
クリーニングプロセス
図５を参照すると、図１、２及び４を参照して説明した保護装置３をクリーニングするプロセス１００における種々の工程を概略的に示すチャートが示されている。
【０１０１】
クリーニングプロセス１００は、保護装置３と対応するクリーニングモジュール５のリング５１（図１、２及び４）との間の相対移動により実施される少なくとも２つの払拭工程Ｅ１、Ｅ２を含む。相対移動は、リング５１の第２回転軸線Ａ２に対して平行な方向である。第１払拭工程Ｅ１において、移動は第１方向において実施され得る。第２払拭工程Ｅ２において、移動は、第１方向と反対の第２方向において実施され得る。
【０１０２】
例えば、第１払拭工程Ｅ１は、保護装置３のその作動位置からその非作動位置への移動に対応する、又はリング５１のその格納位置からその配備位置への移動に対応する。逆に、第２払拭工程Ｅ２は、保護装置３のその非作動位置からその作動位置への移動に対応する、又はリング５１のその配備位置からその格納位置への移動に対応する。したがって、クリーニングプロセス１００において、保護装置３の回転面は、払拭構造体５３（図３）によって少なくとも２回払拭される。復帰移動によるこのような払拭により、洗浄流体の使用を必ずしも必要とすることなく保護装置３がクリーニングされる。これにより、とりわけ、少なくとも１つのクリーニングモジュール５の作動コストを制限することが可能となる。
【０１０３】
選択的に、クリーニングプロセス１００は、保護装置３の回転面上の汚れの存在を検出する工程Ｅ０を含み得る。この検出工程Ｅ０は、第１払拭工程Ｅ１の前に実施され得る。検出工程Ｅ０は、光学素子により実行され得る。光学素子により捕捉された画像は、例えば電子制御ユニットにより処理され得る。これにより、電子制御ユニットにより捕捉された画像の処理結果に応じて、クリーニングプロセス１００を開始する、又はしないことが可能である。
【０１０４】
これに代えて又は追加して、検出工程Ｅ０は、第１及び第２払拭工程Ｅ１及びＥ２の後に実行され得る。この検出工程Ｅ０により、第２払拭工程Ｅ２の後に、保護装置３の回転面上の汚れの存在が検出され得る。依然として汚れが検出される場合、電子制御ユニットは、クリーニングプロセス１００を繰り返すことを命令し得る。この繰り返し工程には、洗浄流体を保護装置３の外面に噴射する追加の工程Ｅ１’が含まれ得る。この目的のために、電子制御ユニットは、洗浄流体を噴射するこの工程Ｅ１’を実行するように、少なくとも１つの流体噴射ノズル７を制御するように構成される。洗浄流体を噴射するこの工程Ｅ１’は、例えば、第１払拭工程Ｅ１と同時に実施され得る。
【０１０５】
クリーニングプロセス１００が１回反復された後の検出工程Ｅ０において、保護装置３の回転面に依然として汚れが検出された場合、保護装置３の回転面に残るよごれを除去しやすくするように、電子制御ユニットは、場合により第１及び第２払拭工程Ｅ１とＥ２との間に洗浄流体を噴射する工程Ｅ１’を用いて、クリーニングプロセス１００の繰り返しを開始することができる。
【０１０６】
本明細書で説明するクリーニングプロセス１００は、特に、運転支援システム１が、図１乃至３を参照して説明した少なくとも１つのクリーニングモジュール５を含む場合に実行され得る。代替的に、流体噴射ノズル７がリング５１から独立している場合、第１払拭工程Ｅ１と洗浄流体噴射工程Ｅ１’を入れ替えてもよい。
【０１０７】
また、クリーニングプロセス１００は、クリーニングサイクルにおいて複数回繰り返されてよく、特に、第１及び第２払拭工程Ｅ１及びＥ２が保護装置３を満足できる状態まできれいにできないとき、複数回繰り返されてよい。
【０１０８】
したがって、この種のクリーニングプロセス１００は、運転支援システム１が正しく動作し続けるように自動車両のユーザが介入する必要がない。したがって、この運転支援システム１は、例えば自律車両に搭載され得る。
【０１０９】
代替的に、例えば、クリーニングモジュールのクリーニング構造体が、リング５１により支承される単独又は複数の流体噴射ノズル７を例えば含む場合、上述の工程Ｅ１及びＥ２は、少なくとも１つの流体噴射ノズル７が保護装置３の外面に流体を吹き付けるクリーニング工程であり得る。
【０１１０】
したがって、上述のクリーニングモジュール５により、小さい曲率半径を有する光学素子の保護装置３を含む運転支援システム１の効果的なクリーニングが可能となる。より具体的には、保護装置３の回転面を、回転面を囲むクリーニングモジュール５のリング５１の払拭構造体５３によって、リング５１に対して保護装置３が相対移動する間に払拭することにより、回転面の曲率半径を考慮する必要なく、回転面を効果的にクリーニングすることができる。
【０１１１】
上述の特定例は、非制限的なものである。実際に、特に当業者は、本発明の範囲を逸脱することなく、上述のもの以外の保護装置３の回転面の形状又はリング５１の形状を利用できる。
【０１１２】
同様に、運転支援システムの光学素子の中には、保護装置を有さないものもある。この場合、クリーニングされる表面は、同様に回転面を有する光学素子の表面そのものである。
【図１】
2019218049.tif 000003
【図２】
2019218049.tif 000004
【図３】
2019218049.tif 000005
【図４】
2019218049.tif 000006
【図５】
2019218049.tif 000007
【外国語明細書】
2019218049000001.pdf